(57)【要約】【課題】ゼロ点較正が行われる場合であっても適切にアラーム音の出力を行うことができる測定装置、血圧測定方法、及びプログラムを提供する。【解決手段】測定装置１は、観血式の血圧測定を行い、測定中に血圧が所定異常状態となったことを検出する測定部１２と、観血式の血圧測定に使用するトランスデューサのゼロ点較正が行われているか否かを検出する検出部１３と、測定部１２が測定する血圧が所定異常状態となった場合に、検出部１３の検出状態に基づいてアラームの出力を行うか否かを制御する報知制御部１４とを備える。報知制御部１４は、ゼロ点較正に関係する所定のタイミングからの経過時間と、測定部１２からの出力と、に基づいて、アラーム音を出力する標準アラームモードと、アラーム音を出力しないアラーム音抑制モードとを選択することが可能である。【選択図】図１
2018187146.tif 000002
【特許請求の範囲】
【請求項１】
観血式の血圧測定を行い、測定中に血圧が所定異常状態となったことを検出する測定部と、
観血式の血圧測定に使用するトランスデューサのゼロ点較正が行われているか否かを検出する検出部と、
前記測定部が測定する血圧が前記所定異常状態となった場合に、前記検出部の検出状態に基づいてアラームの出力を行うか否かを制御する報知制御部とを備える測定装置であって、
前記報知制御部は、ゼロ点較正に関係する所定のタイミングからの経過時間と、前記測定部からの出力と、に基づいて、アラーム音を出力する第一モードと、アラーム音を出力しない第二モードとを選択することが可能である、
測定装置。
【請求項２】
前記所定のタイミングとは、
ゼロ点較正にかかるインターフェイスの操作タイミング、ゼロ点較正実施中に関するメッセージの表示開始タイミング、ゼロ点較正の終了タイミング、ゼロ点較正終了に関するメッセージの表示開始タイミング、ゼロ点較正終了に関するメッセージの表示終了タイミング、のいずれかである、
請求項１に記載の測定装置。
【請求項３】
前記経過時間は、第一設定時間と、前記第一設定時間より後の時間である第二設定時間と、を有し、
前記報知制御部は、前記第一設定時間の時点で、前記測定中の血圧が第一設定値を下回るものである場合、前記アラーム音を出力する第一モードを選択する、
請求項１または請求項２に記載の測定装置。
【請求項４】
前記報知制御部は、前記第一設定時間の時点で、前記測定中の血圧が、前記第一設定値と前記第一設定値より大きい第二設定値との間に存する場合、前記第二モードを選択する、
請求項３に記載の測定装置。
【請求項５】
前記報知制御部は、前記第一設定時間の時点で、前記測定中の血圧が、前記第二設定値より大きい場合、前記第二モードを選択する、
請求項４に記載の測定装置。
【請求項６】
前記報知制御部は、前記第二設定時間の時点で、前記測定中の血圧が前記第二設定値より大きい場合、前記第二モードを継続する、
請求項５に記載の測定装置。
【請求項７】
前記報知制御部は、前記第二設定時間の時点で、前記測定中の血圧が、前記第一設定値と前記第一設定値より大きい第二設定値との間に存する場合、前記アラーム音を出力する第一モードを選択する、
請求項３に記載の測定装置。
【請求項８】
前記第二モードは、アラームを鳴動せずにアラームメッセージの表示が行われるアラーム音抑制モードである、
請求項１から請求項７のいずれか一項に記載の測定装置。
【請求項９】
観血式の血圧測定を行い、測定中に血圧が所定異常状態となったことを検出する測定ステップと、
観血式の血圧測定に使用するトランスデューサのゼロ点較正が行われているか否かを検出する検出ステップと、
前記測定部が測定する血圧が前記所定異常状態となった場合に、前記検出部の検出状態に基づいてアラームの出力を行うか否かを制御する報知制御ステップと、
を備え、
前記報知制御ステップでは、ゼロ点較正に関係する所定のタイミングからの経過時間と、測定部からの出力と、に基づいて、アラーム音を出力する第一モードと、アラーム音を出力しない第二モードとが選択される、
血圧測定方法。
【請求項１０】
コンピュータに、
観血式の血圧測定を行い、測定中に血圧が所定異常状態となったことを検出する測定ステップと、
観血式の血圧測定に使用するトランスデューサのゼロ点較正が行われているか否かを検出する検出ステップと、
前記測定部が測定する血圧が前記所定異常状態となった場合に、前記検出部の検出状態に基づいてアラームの出力を行うか否かを制御する報知制御ステップと、
を実行させるプログラムであって、
前記報知制御ステップでは、ゼロ点較正に関係する所定のタイミングからの経過時間と、測定部からの出力と、に基づいて、アラーム音を出力する第一モードと、アラーム音を出力しない第二モードとが選択される、
プログラム。
【発明の詳細な説明】
【技術分野】
【０００１】
本発明は、測定装置、血圧測定方法、及びプログラムに関する。
【背景技術】
【０００２】
被検者の血管内にカテーテルなどを挿入し、時々刻々と変化する血圧を連続的に測定する観血式血圧測定法が知られている（例えば、特許文献１を参照）。血管内で発生している圧力は、カテーテルに接続されたトランスデューサによって電気信号に変換される。血圧計は、トランスデューサによって変換された電気信号に対応する血圧値や血圧波形を、医療従事者などに表示する。
【０００３】
観血式の血圧測定においては、測定の基準値を定めるためのゼロ点較正と呼ばれる処理が必須である。ゼロ点較正は、トランスデューサを基準点に配置し、トランスデューサに加わる圧力をゼロにしたとき（カテーテルを大気開放したとき）の、血圧値に対する電気信号を測定基準値（例えば０ｍｍＨｇ）にするように行なわれる。
ところで観血式の血圧測定を行う場合、患者に取り付けたカテーテルの外れを知らせるアラーム出力が推奨されている。医療従事者は、このアラームを参照することによりカテーテル外れを即座に認識できる。
【先行技術文献】
【特許文献】
【０００４】
【特許文献１】特表２０１３−５１７８６３号公報
【発明の概要】
【発明が解決しようとする課題】
【０００５】
上述のように、従来の血圧測定システムには、カテーテル外れを検出する等の一定の条件に該当する場合に、所定の異常状態（例えば脈拍が検出できなくなり、平均血圧が１０ｍｍＨｇ以下となった状態）を医療従事者に知らせるためのアラーム機能が設けられている。
【０００６】
しかしながら、従来の血圧測定システムでは、測定の基準値を定めるためのゼロ点較正を行った後、例えばまだ手術の準備中であるにも関わらず、アラーム音が出力されてしまう場合があった。すなわち、ゼロ点較正の後に、アラーム音の無駄鳴りが生じてしまう場合があった。この場合、医療従事者は、アラーム音を解除するため操作を行わなければならず、他の準備作業を阻害してしまうため好ましくない。
【０００７】
そこで、本発明は、ゼロ点較正が行われる場合であっても適切にアラーム音の出力を行うことができる測定装置、血圧測定方法、及びプログラムを提供することを目的とする。
【課題を解決するための手段】
【０００８】
上記目的を達成するために、本発明の測定装置は、
観血式の血圧測定を行い、測定中に血圧が所定異常状態となったことを検出する測定部と、
観血式の血圧測定に使用するトランスデューサのゼロ点較正が行われているか否かを検出する検出部と、
前記測定部が測定する血圧が前記所定異常状態となった場合に、前記検出部の検出状態に基づいてアラームの出力を行うか否かを制御する報知制御部と、
を備える測定装置であって、
前記報知制御部は、ゼロ点較正に関係する所定のタイミングからの経過時間と、測定部からの出力と、に基づいて、アラーム音を出力する第一モードと、アラーム音を出力しない第二モードとを選択することが可能である。
【０００９】
上記構成によれば、ゼロ点較正に関係する所定のタイミングからの経過時間と測定部からの出力とが所定条件に該当した場合、アラーム音を出力しない第二モードが選択され得るため、アラーム音の無駄鳴りが生じることを抑制することができる。また、前述の所定条件から外れる場合には、アラーム音を出力する第一モードが選択されて、アラーム音が鳴る。
このように、上記構成によれば、ゼロ点較正が行われる場合であっても、適切なタイミングでアラーム音が出力されたり抑制されたりするように制御することができる。その結果、医療従事者は、アラーム音を解除するための操作を行うことを要さず、他の準備作業が阻害されない。
【００１０】
また、本発明の血圧測定方法は、
観血式の血圧測定を行い、測定中に血圧が所定異常状態となったことを検出する測定ステップと、
観血式の血圧測定に使用するトランスデューサのゼロ点較正が行われているか否かを検出する検出ステップと、
前記測定部が測定する血圧が前記所定異常状態となった場合に、前記検出部の検出状態に基づいてアラームの出力を行うか否かを制御する報知制御ステップと、
を備え、
前記報知制御ステップでは、ゼロ点較正に関係する所定のタイミングからの経過時間と、測定部からの出力と、に基づいて、アラーム音を出力する第一モードと、アラーム音を出力しない第二モードとが選択される。
【００１１】
また、本発明のプログラムは、
コンピュータに、
観血式の血圧測定を行い、測定中に血圧が所定異常状態となったことを検出する測定ステップと、
観血式の血圧測定に使用するトランスデューサのゼロ点較正が行われているか否かを検出する検出ステップと、
前記測定部が測定する血圧が前記所定異常状態となった場合に、前記検出部の検出状態に基づいてアラームの出力を行うか否かを制御する報知制御ステップと、
を実行させるプログラムであって、
前記報知制御ステップでは、ゼロ点較正に関係する所定のタイミングからの経過時間と、測定部からの出力と、に基づいて、アラーム音を出力する第一モードと、アラーム音を出力しない第二モードとが選択される。
【発明の効果】
【００１２】
本発明の測定装置、血圧測定方法、及びプログラムによれば、ゼロ点較正が行われる場合であっても適切なアラーム音の出力を行うことができる。
【図面の簡単な説明】
【００１３】
【図１】本実施形態に係る測定装置を備えた血圧測定システムの概要図である。
【図２】測定装置の動作を説明するフローチャートである。
【図３】測定装置の動作を説明するフローチャートである。
【図４】測定装置の動作を説明するフローチャートである。
【図５】測定装置の動作を説明するフローチャートである。
【図６】測定装置の動作を説明するフローチャートである。
【図７】従来の測定装置におけるアラームモードの切替え例を示す概念図である。
【図８】本実施形態の測定装置におけるアラームモードの切替え例を示す概念図である。
【図９】アラームモード切替えの一例を説明する図である。
【発明を実施するための形態】
【００１４】
以下、本実施形態に係る測定装置の一例について、図面を参照して説明する。
図１は、本実施形態に係る測定装置１０を備えた血圧測定システム１の構成を示す概要図である。
血圧測定システム１は、被検者２の血圧値を観血的に測定することが可能である。血圧測定システム１の測定装置１０は、血圧を観血的に測定できるものであれば良く、例えば生体情報モニタや除細動器等が該当する。測定装置１０は、観血式の血圧測定以外の各種測定（心電図、呼吸曲線、ＳｐＯ２、体温測定等）を行うことができる構成であってもよいことは勿論である。
【００１５】
図１に示す例は、動脈血圧の測定を行う場合であり、被検者２の橈骨動脈にカテーテル（動脈針）２１が挿入されている。トランスデューサ２２は、被検者２の心臓の高さ（胸厚の半分に対応する位置の高さ）に固定される。カテーテル２１とトランスデューサ２２は、モニタリングライン２３によって接続されている。
【００１６】
モニタリングライン２３は、第一チューブ２３ａ、第二チューブ２３ｂ、第三チューブ２３ｃ、三方活栓２３ｄ、及び輸液ボトル２３ｅを含んでいる。第一チューブ２３ａは、カテーテル２１と三方活栓２３ｄとを接続している。第二チューブ２３ｂは、トランスデューサ２２と三方活栓２３ｄとを接続している。三方活栓２３ｄは、血圧測定時には第一チューブ２３ａと第二チューブ２３ｂとを接続させて大気を遮断する。また、三方活栓２３ｄは、ゼロ点較正実行時にトランスデューサ２２が大気に触れるように栓をする。第三チューブ２３ｃは、輸液ボトル２３ｅとトランスデューサ２２とを接続している。輸液ボトル２３ｅには、生理食塩水が収容されている。
【００１７】
トランスデューサ２２は、観血式の血圧測定に使用される変換器である。トランスデューサ２２は、生理食塩水を通じて伝達される被検者２の血管内の圧力に対応する電気信号を出力する。測定装置１０は、当該電気信号に対応する血圧値や血圧波形を、医療従事者などのユーザに表示する。
【００１８】
測定装置１０は、制御部１１と、報知部１６と、入力部１７と、表示部１８とを備えている。制御部１１は、測定部１２と、検出部１３と、報知制御部１４と、較正部１５とを備えている。また、測定装置１０は、図示を省略する二次記憶装置等を適宜備えている。
【００１９】
報知部１６は、音声ガイダンスやアラームを出力するものであり、例えばスピーカ及びスピーカ周辺回路等から構成されている。なお、報知部１６は、音を出力するものに限られず、例えばインジケータのように視覚的に警告を報知するものであってもよい。報知部１６の出力処理は、後述する報知制御部１４によって制御されている。
【００２０】
入力部１７は、医療従事者からのデータ入力を受け付けるインターフェイスである。入力部１７は、例えば測定装置１０の筐体上に設けられたボタン、ツマミ、スイッチ等である。また、入力部１７は、タッチパネルのように表示装置（液晶ディスプレイ）と一体化された構成であってもよい。入力部１７は、後述するゼロ点較正用のボタンやオールゼロ処理用のボタンを含む。
【００２１】
表示部１８は、測定装置１０の各種測定値や表示メッセージを表示する表示装置および周辺回路（またはソフトウェア）である。表示部１８は、測定装置１０の筐体上に設けられた液晶ディスプレイやインジケータであってもよく、測定装置１０に着脱可能に構成されたディスプレイ装置等であってもよい。
【００２２】
続いて、制御部１１内の各処理部の機能について説明する。制御部１１は、測定装置１０の制御を行うものであり、図示を省略する記憶部（二次記憶装置）から適宜プログラムを読み出して実行する。制御部１１は、例えばゼロ点較正を実行する際の表示制御等を行う。
【００２３】
較正部１５は、測定装置１０が測定する血圧値の測定基準値を較正する。血圧測定の開始等の時点において、測定装置１０のゼロ点較正が行われる。具体的には、三方活栓２３ｄを大気開放状態にしてトランスデューサ２２にかかる圧力がゼロにされる。較正部１５は、この状態において測定装置１０に入力される電気信号を基準値（例えば０ｍｍＨｇ）にするように内部の較正を行う。
【００２４】
測定部１２は、観血式の血圧測定を行う。すなわち、測定部１２は、トランスデューサ２２から出力された電気信号をＡ／Ｄ変換処理によってデジタルデータに変換し、変換されたデジタルデータに基づいて血圧値や血圧波形を算出する。血圧値や血圧波形の算出方法は、一般的な観血式血圧測定における手法と同様であればよい。算出した血圧値や血圧波形は、表示部１８に表示される。
【００２５】
また、測定部１２は、測定中に血圧が所定異常状態となったことを検出する。例えば算出された血圧値や血圧波形に基づいて、被検者２に所定異常状態が生じたことを検出する。この場合の所定異常状態とは、被検者に装着されたカテーテル２１が外れた場合等に生じる状態であり、例えば脈拍が無く、平均血圧値が１０ｍｍＨｇ以下となった状態が所定時間（例えば１０秒程度）継続する。また、例えば血圧デバイスが閉塞状態とされて、出力された血圧値が測定装置１０で設定されている閾値（例えば２００〜３００ｍｍＨｇ）を超える値となった場合等にも所定異常状態が生じたと検出する。
【００２６】
検出部１３は、ゼロ点較正が実行されている最中であるか否かを検出する。また、検出部１３は、ゼロ点較正に関係する所定のタイミングを検出する。検出結果は、検出部１３から報知制御部１４にリアルタイムで通知される。例えば検出部１３は、以下の（１）から（３）に示すような手法で、ゼロ点較正が実行されている最中であるか否か、あるいはゼロ点較正に関係する所定のタイミングを判定する。
【００２７】
（１）「ゼロ点較正／オールゼロ」ボタンの押下
検出部１３は、ゼロ点較正に関係する入力インターフェイス（ボタン、ツマミ、スイッチ等）を監視し、ゼロ点較正が実行されることを示す操作がなされた場合にゼロ点較正実行中と判定する。
【００２８】
（２）ゼロ点較正処理の実行
検出部１３は、較正部１５の動作を監視し、ゼロ点較正が実行されていること（例えばゼロ点較正用のソフトウェアが実行されていること等）が検出された場合にゼロ点較正実行中と判定する。同様に、検出部１３は、較正部１５の動作を監視し、ゼロ点較正が終了したこと（例えばゼロ点較正用のソフトウェアが終了されたこと等）が検出された場合にゼロ点較正終了と判定する。
【００２９】
（３）ゼロ点較正に関するメッセージの表示
検出部１３は、較正部１５から表示部１８へのゼロ点較正実行中に関する表示指示、または表示部１８におけるゼロ点較正実行中に関するメッセージ表示処理を監視する。検出部１３は、ゼロ点較正が行われていることを示すメッセージの表示が検出された場合、ゼロ点較正実行中であると判定する。さらに、検出部１３は、表示部１８へのゼロ点較正専用画面の表示が検出された場合にもゼロ点較正実行中であると判定する。また、検出部１３は、ゼロ点較正に関する終了メッセージの表示が検出された場合にはゼロ点較正が終了したものと判定する。
【００３０】
（４）オールゼロ動作の検出
オールゼロに関する検出方法は、複数のカテーテル２１を用いた複数個所での観血式の血圧測定を行っている場合に用いられる。検出部１３は、ソフトウェアによるオールゼロ動作（複数個所のゼロ点較正を行う動作）を検出した場合にゼロ点較正実行中であると判定する。
【００３１】
報知制御部１４は、検出部１３によるゼロ点較正の検出状態と、測定部１２による所定異常状態の検出状態とに基づいて、報知部１６によるアラームの出力を制御する。また、報知制御部１４は、ゼロ点較正に関係する所定のタイミングからの経過時間と、測定部１２から出力された血圧値や血圧波形に基づいて、アラームの出力モードを選択する。
【００３２】
所定のタイミングとは、例えば以下の（Ａ）から（Ｆ）に示すようなものが該当する。
（Ａ）“ゼロ点較正”や“オールゼロ”用のインターフェイスの操作タイミング
（Ｂ）ゼロ点較正実施中に関するメッセージの表示開始タイミング
（Ｃ）ゼロ点較正の終了タイミング
（Ｄ）ゼロ点較正終了に関するメッセージの表示開始タイミング
（Ｅ）ゼロ点較正終了に関するメッセージの表示終了タイミング
（Ｆ）所定の異常状態開始タイミング
なお、これらの所定のタイミングは、検出部１３によって検出される。
【００３３】
次に、血圧測定システム１における測定装置１０の動作例について、図２〜図６を参照しつつ説明する。本例では、血圧測定の開始時に測定装置１０のゼロ点較正が行われる場合の動作を説明する。
【００３４】
図２に示すように、測定装置１０において例えばゼロ点較正ボタンが押下されると、検出部１３は、ゼロ点較正の実行が開始されたことを検出する。さらに、例えばゼロ点較正用のソフトウェアが終了すると、検出部１３は、ゼロ点較正が終了したことを検出する（ステップＳ１０１）。本例では、ゼロ点較正の終了時を上記ゼロ点較正に関係する所定のタイミングとする。
【００３５】
続いて、測定装置１０は、アラーム音を抑制するアラーム音抑制モードを利用するための設定スイッチがオンに設定されているか否かを判別する（ステップＳ１０２）。判別の結果、設定スイッチがアラーム音を抑制するモードに設定されていない場合、標準アラームモード（第一モードの一例）が選択された状態となる。本例の標準アラームモードとは、所定異常状態が検出された場合に、アラームメッセージを表示し、且つアラーム音を出力するモードである。
なお、設定スイッチのオンとオフに関わらず、本例の測定装置１０は、ゼロ点較正の終了時から例えば３０秒経過するまでの間は、所定異常状態が検出された場合でもアラームメッセージの表示およびアラーム音を出力（鳴動）しないように設定されている。
【００３６】
一方、ステップＳ１０２で、設定スイッチがアラーム音を抑制するモードに設定されている場合、報知制御部１４は、アラーム音抑制モード（第二モードの一例）を選択するか否かを、ゼロ点較正の終了時から例えば３０秒経過時点において、チェックすることとなる。
アラーム音抑制モードとは、所定異常状態が検出された場合、アラーム音を出力しないようにするか、アラーム音の音量を標準アラームモードの音量より小さくする等、アラーム音が抑制されるモードをいう。アラームメッセージは表示しないようにしてもよいし、表示するようにしてもよい。
【００３７】
続いて、図３に示すように、測定部１２は、トランスデューサ２２から出力される電気信号に基づいて、測定中の血圧値を算出する（ステップＳ１０５）。血圧値は、トランスデューサ２２から出力される値の１秒間毎の平均血圧値である。
測定部１２は、検出される脈拍数をカウントする（ステップＳ１０６）。
なお、この血圧値の算出と脈拍数のカウントとは、例えばゼロ点較正の終了後に開始されて、その後継続的に繰り返し実施される処理となる。
【００３８】
続いて、図４に示すように、報知制御部１４は、ゼロ点較正の終了時から３０秒経過しているか否か判別する（ステップＳ１０７）。３０秒経過していないと判別された場合、図３のＡステップに戻り各処理を繰り返す。
一方、３０秒経過している場合には、報知制御部１４は、測定部１２によって算出された血圧値が予め設定されている第二設定値（例えば２００ｍｍＨｇ）以上であるか否か判別する（ステップＳ１０８）。第二設定値は、１５０〜３００ｍｍＨｇに設定することができる。なお、後述する第一設定値は、本例では、６０ｍｍＨｇに設定されている。第一設定値を６０ｍｍＨｇとしているのは、脈動のない静脈圧の測定を妨げないようにするためである。
【００３９】
ステップＳ１０８で、血圧値が２００ｍｍＨｇ以上ではないと判別された場合、報知制御部１４は、その血圧値が第一設定値（例えば６０ｍｍＨｇ）以上第二設定値（２００ｍｍＨｇ）未満であるか否か判別する（ステップＳ１０９）。ここで、血圧値が６０ｍｍＨｇ以上２００ｍｍＨｇ未満に該当しない場合、すなわち血圧値が６０ｍｍＨｇ未満である場合には、報知制御部１４は、標準アラームモードを選択する（ステップＳ１１０）。
【００４０】
一方、ステップＳ１０８で、血圧値が２００ｍｍＨｇ以上であると判別された場合、図５に示すように、報知制御部１４は、アラーム音抑制モードを選択する（ステップＳ１１１）。
続いて、報知制御部１４は、測定中の血圧値が２秒間以上連続して２００ｍｍＨｇ未満に低下したか否か判別する（ステップＳ１１２）。連続して２秒間以上２００ｍｍＨｇ未満に低下しなかった、すなわち測定中の血圧値が２００ｍｍＨｇ以上に維持されていたと判別された場合、報知制御部１４は、脈拍数が８拍以上連続して検出されたか否か判別する（ステップＳ１１３）。連続した８拍の脈とは、拍と拍との間が２秒以下で８拍連続する脈をいう。また、８拍とは、被検者の生体信号として測定されうる脈拍数を考慮した数である。検出された脈拍数が８拍未満だったと判別された場合、ステップＳ１１１に戻り、アラーム音抑制モードを維持する。なお、測定中の血圧値が２００ｍｍＨｇ以上に維持され、検出される脈拍数が８拍未満である状態が続いた場合、アラーム音抑制モードは経過時間に制限されず継続して延長される。
【００４１】
一方、ステップＳ１１２で、血圧値が２秒間以上連続して２００ｍｍＨｇ未満に低下したと判別された場合、報知制御部１４は、標準アラームモードを選択する（ステップＳ１１４）。また、ステップＳ１１３で、脈拍が８拍以上検出されたと判別された場合にも、報知制御部１４は、標準アラームモードを選択する（ステップＳ１１４）。
【００４２】
図４に戻り、ステップＳ１０９で、血圧値が６０ｍｍＨｇ以上２００ｍｍＨｇ未満であると判別された場合、図６に示すように、報知制御部１４は、アラーム音抑制モードを選択する（ステップＳ１１５）。
【００４３】
続いて、報知制御部１４は、血圧値が２００ｍｍＨｇ以上に上昇したか否か判別する（ステップＳ１１６）。血圧値が２００ｍｍＨｇ以上に上昇していない、すなわち血圧値が６０ｍｍＨｇ以上２００ｍｍＨｇ未満であると判別された場合、報知制御部１４は、脈拍数が８拍以上連続して検出されたか否か判別する（ステップＳ１１７）。検出された脈拍数が８拍未満であると判別された場合、報知制御部１４は、血圧値が６０ｍｍＨｇ未満に低下したか否か判別する（ステップＳ１１８）。血圧値が６０ｍｍＨｇ未満に低下していないと判別された場合、報知制御部１４は、ゼロ点較正の終了時から延べ６０秒（第二設定時間の一例）経過しているか否か判別する（ステップＳ１１９）。経過時間が６０秒経過していないと判別された場合、ステップＳ１１５に戻り各処理を繰り返し、アラーム音抑制モードを維持する。
【００４４】
一方、ステップＳ１１６で、血圧値が２００ｍｍＨｇ以上に上昇したと判別された場合、図５のステップＳ１１１に戻り、各処理を繰り返す。
また、ステップＳ１１７で、脈拍が８拍以上検出されたと判別された場合、報知制御部１４は、標準アラームモードを選択する（ステップＳ１２０）。
また、ステップＳ１１８で、血圧値が６０ｍｍＨｇ未満に低下したと判別された場合にも、報知制御部１４は、標準アラームモードを選択する（ステップＳ１２０）。
さらに、ステップＳ１１９で、経過時間が６０秒に達したと判別された場合にも、報知制御部１４は、標準アラームモードを選択する（ステップＳ１２０）。
【００４５】
なお、測定装置１０内の制御部１１の処理は、その一部または全部が測定装置１０内で動作するコンピュータプログラムとして実現することが可能である。例えば測定部１２は、トランスデューサ２２から出力された血圧信号をＡ／Ｄ変換処理によってデジタル化したデータを用いて血圧値や血圧波形の算出を行うことができる。
【００４６】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク，磁気テープ，ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えばマスクＲＯＭ，ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４７】
ところで、血圧値を観血的に測定することが可能な測定装置では、血圧デバイスを組み立てた後、被検者の血圧ラインを確保した時点で即座に血圧波形・数値を表示するため、予めゼロ点較正を行って血圧デバイスを閉塞状態にして待機する場合がある。
しかし、従来の測定装置では、例えば図７に示すように、ゼロ点較正終了からの経過時間（３０秒）のみを条件として、アラーム音とアラームメッセージを出力しないモードからアラーム音とアラームメッセージを出力するモードへと切り替える構成となっていた。
このため、手術の準備等の理由によりゼロ点較正終了からの所定の時間（３０秒）が経過した後に上記閉塞状態が継続している場合、血圧回路内が高圧となり、測定装置で設定された閾値を超えてしまい、アラーム音（臨床的には誤アラーム）が発生してしまうことがあった。
例えば、以下のような場合に、いわゆるアラーム音の無駄鳴りが生じてしまうことがあった。
１）手術前の準備期間にゼロ点較正を実施し、フラッシュと三活閉鎖を行った場合
２）手術室での被検者が入室前
３）ゼロ点較正の完了後に、動脈ライン（Ａライン）確保の時間がかかっている場合
【００４８】
これに対し、本実施形態の測定装置１０、血圧測定方法、およびプログラムによれば、アラーム音とアラームメッセージを出力する標準アラームモード（第一モードの一例）の他に、所定条件に該当した場合に選択されるアラーム音抑制モード（第二モードの一例）を有している。所定条件は、例えば、ゼロ点較正終了後（所定のタイミング）からの経過時間と、測定部の出力とを用いて構成されたものである。この所定条件を、想定されるアーチフェクト状態、すなわち、心電図に混入し得るノイズに対応するように設定することで、いわゆるアラーム音の無駄鳴りを減らし、適切なタイミングでアラーム音の出力を行うことが可能となる。また、所定条件から外れた場合（被検者の生体信号を測定していると判断できる場合）には、標準アラームモードが選択されて、アラーム音抑制モードから標準アラームモードに移行し、アラーム音の出力を行うことが可能である。
【００４９】
図８は、アラームモードの切替えの一例を時系列に沿って説明するための概念図である。例えば、図８に示すように、本例では、まず、ゼロ点較正終了からその３０秒経過までの期間は、測定部の出力条件にかかわらず、アラーム音とアラームメッセージを出力しないモードが実施される。
【００５０】
そして、ゼロ点較正終了から３０秒経過時点（第一設定時間）において、血圧値が６０ｍｍＨｇ未満の場合、標準アラームモードが選択される。それ以降の時間では測定部の出力条件にかかわらず標準アラームモードが継続される。
また、ゼロ点較正終了から３０秒経過時点において、血圧値が６０ｍｍＨｇ以上２００ｍｍＨｇ未満、または２００ｍｍＨｇ以上である場合、アラーム音抑制モードが選択される。
【００５１】
そして、ゼロ点較正終了の３０秒後からさらに３０秒経過（ゼロ点較正終了から６０秒経過）までの期間では、血圧値が６０ｍｍＨｇ以上２００ｍｍＨｇ未満で、検出される脈拍が８拍以上の場合は、アラーム音抑制モードから標準アラームモードに移行する（図６のＳ１１６，Ｓ１１７，Ｓ１２０参照）。
また、６０ｍｍＨｇ以上２００ｍｍＨｇ未満だった血圧値が、６０ｍｍＨｇ未満になった場合も同様に、アラーム音抑制モードから標準アラームモードに移行する（図６のＳ１１６，Ｓ１１７，Ｓ１１８，Ｓ１２０参照）。
また、血圧値が２００ｍｍＨｇ以上で、検出される脈拍が８拍未満の場合、アラーム音抑制モードが維持される（図５のＳ１１２，Ｓ１１３参照）。
なお、血圧値が２００ｍｍＨｇ以上で、検出される脈拍が８拍以上の場合には、アラーム音抑制モードから標準アラームモードに移行する（図５のＳ１１２，Ｓ１１３，Ｓ１１４参照）。２００ｍｍＨｇ以上だった血圧値が、２秒間連続して２００ｍｍＨｇ未満になった場合にも、アラーム音抑制モードから標準アラームモードに移行する（図５のＳ１１２，Ｓ１１４参照）。
【００５２】
さらに、ゼロ点較正終了から６０秒経過時点（第二設定時間）において、血圧値が６０ｍｍＨｇ以上２００ｍｍＨｇ未満の場合、アラーム音抑制モードから標準アラームモードに移行する。それ以降の時間では測定部の出力条件にかかわらず標準アラームモードが継続される。
また、ゼロ点較正終了から６０秒経過時点において、血圧値が２００ｍｍＨｇ以上の場合、アラーム音抑制モードが継続される。
【００５３】
ゼロ点較正終了から６０秒経過以降では、血圧値が２００ｍｍＨｇ以上で、検出される脈拍が８拍以下の場合は、アラーム音抑制モードが継続される（図５のＳ１１２，Ｓ１１３参照）。
なお、血圧値が２００ｍｍＨｇ以上で、検出される脈拍が８拍以上の場合には、アラーム音抑制モードから標準アラームモードに移行する（図５のＳ１１２，Ｓ１１３，Ｓ１１４参照）。２００ｍｍＨｇ以上だった血圧値が、２秒間連続して２００ｍｍＨｇ未満になった場合にも、アラーム音抑制モードから標準アラームモードに移行する（図５のＳ１１２，Ｓ１１４参照）。
【００５４】
例えばゼロ点較正の際に測定されうる血圧波形の一例（図９）を挙げて測定装置１０の動作を説明すると以下のようになる。図９に示す血圧波形Ａは、ゼロ点較正の終了後に血圧デバイスを閉塞状態にして待機した場合に測定される波形の一例である。
【００５５】
本例では、上述のように、ゼロ点較正の終了時から３０秒間は、アラーム音もメッセージも出力されないモードが実行される。このため、この間において例えばトランスデューサ２２にかかる圧力が略ゼロになり血圧波形Ａの血圧値が矢印で示すＢ点のように所定の異常状態（１０ｍｍＨｇ以下の状態）となっても、アラーム音が出力されることはない。
【００５６】
また、ゼロ点較正終了から３０秒経過時点においては、血圧波形Ａの血圧値がＣ点のように６０ｍｍＨｇ以上２００ｍｍＨｇ未満となっているので、アラーム音抑制モードが選択される。
【００５７】
また、ゼロ点較正終了後の３０秒経過時から６０秒経過時までの間では、血圧波形Ａの血圧値が６０ｍｍＨｇ以上２００ｍｍＨｇ未満（Ｄ点）あるいは２００ｍｍＨｇ以上（Ｅ点）となっており、さらに本例では脈拍は検出されない（血圧デバイスを閉塞状態にして待機した場合のため）ので、上記アラーム音抑制モードが維持される。
【００５８】
また、ゼロ点較正終了から６０秒経過時では、血圧波形Ａの血圧値がＦ点のように２００ｍｍＨｇ以上となっているので、上記アラーム音抑制モードが継続される。
【００５９】
また、ゼロ点較正終了から６０秒経過時以降では、血圧波形Ａの血圧値が点Ｇのように２００ｍｍＨｇ以上で、脈拍が検出されない場合には、上記アラーム音抑制モードが継続される。そして、被検者の血圧測定が開始され、血圧波形Ａの血圧値がＨ領域のように２秒間連続して２００ｍｍＨｇ未満になった場合には、標準アラームモードに移行される。
【００６０】
このように、ゼロ点較正が行われる場合であっても、適切なタイミングでアラーム音が出力されたり抑制されたりするように選択して制御することができる。その結果、医療従事者は、アラーム音を解除するための操作を行うことを要さず、他の準備作業が阻害されない。
【００６１】
また、モード選択の基準となる所定のタイミングは、ゼロ点較正に関係する複数のタイミングのいずれかを用いることができるので、アラーム音抑制モードが選択される条件を適切に設計することができる。
【００６２】
また、アラーム音抑制モードが選択されてアラーム音の出力が抑制された場合でもアラームメッセージは表示されるので、所定異常状態であることをメッセージで確認することができる。
【００６３】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６４】
１：血圧測定システム、１０：測定装置、１１：制御部、１２：測定部、１３：検出部、１４：報知制御部、１５：較正部、１６：報知部、１７：入力部、１８：表示部、２１：カテーテル、２２：トランスデューサ、２３：モニタリングライン、２３ｄ：三方活栓、２３ｅ：輸液ボトル
【図１】
2018187146.tif 000003
【図２】
2018187146.tif 000004
【図３】
2018187146.tif 000005
【図４】
2018187146.tif 000006
【図５】
2018187146.tif 000007
【図６】
2018187146.tif 000008
【図７】
2018187146.tif 000009
【図８】
2018187146.tif 000010
【図９】
2018187146.tif 000011